(57)【要約】      （修正有）【課題】開口部を有する本体筐体部と、軸部を支点に回動することで該本体筐体部の開口部を開閉する可動カバーと、該可動カバーに設けられた第一電子基板と、本体筐体部内に設けられた第二電子基板と、第一電子基板と上記第二電子基板とを接続する電線とを備えた画像形成装置において、電線に対して第一電子基板及び第二電子基板を引っ張る向きの張力が作用した場合でも各電子基板が破損しないようにする。【解決手段】画像形成装置は、可動カバー１０２における電線配索経路に設けられた可動側当接部１０２ｎと、本体筐体部における電線配索経路に設けられた本体側当接部１０６とを備えている。可動側ストッパー部材は、電線５００に張力が作用したときに可動側当接部１０２ｎに当接し、本体側ストッパー部材は、電線５００に張力が作用したときに本体側ストッパー部１０６に当接するように構成されている。【選択図】図６Ａ
2020197589.tif 000002
【特許請求の範囲】
【請求項１】
開口部を有する本体筐体部と、軸部を支点に回動することで該本体筐体部の開口部を開閉する可動カバーと、該可動カバーに設けられた第一電子基板と、上記本体筐体部内に設けられた第二電子基板と、上記第一電子基板と上記第二電子基板とを接続する電線とを備えた画像形成装置であって、
上記可動カバーにおける電線配索経路に設けられた可動側当接部と、
上記本体筐体部における電線配索経路に設けられた本体側当接部とを備え、
上記電線は、上記可動カバーの上記電線配索経路における上記可動側当接部よりも上記第一電子基板側に位置する可動側ストッパー部材と、上記本体筐体部の上記電線配索経路における上記本体側当接部よりも上記第二電子基板側に位置する本体側ストッパー部材と、を備え、
上記可動側ストッパー部材は、上記電線に対して第一電子基板を引張る向きの張力が作用したときに上記可動側当接部に当接して該張力を受止めるように構成され、
上記本体側ストッパー部材は、上記電線に対して第二電子基板を引張る向きの張力が作用したときに上記本体側当接部に当接して該張力を受止めるように構成されている、画像形成装置。
【請求項２】
請求項１記載の画像形成装置において、
上記可動カバーには、上記第一電子基板を収容する基板収容部が設けられ、
上記可動側当接部は、上記基板収容部内の電線配索経路に設けられた突部からなる、画像形成装置。
【請求項３】
請求項１記載の画像形成装置において、
上記可動カバーには、上記第一電子基板を収容する基板収容部が設けられ、
上記基板収容部内の電線配索経路には、複数の突部が設けられ、
上記電線は、上記各突部において屈曲して配索されており、
上記可動側当接部は、上記複数の突部のうちのいずれか一つである、画像形成装置。
【請求項４】
請求項３記載の画像形成装置において、
上記可動側当接部は、上記複数の突部のうち、上記電線配索経路における上記第一電子基板から最も離れた位置にある突部からなる、画像形成装置。
【請求項５】
請求項１乃至４のいずれか一項に記載の画像形成装置において、
上記可動側当接部は、鉛直板部と水平板部とからなる断面L字状の突部からなる、画像形成装置。
【請求項６】
請求項１乃至５のいずれか一項に記載の画像形成装置において、
上記本体側当接部は、上記電線が挿通される電線挿通筒の端面である、画像形成装置。
【発明の詳細な説明】
【技術分野】
【０００１】
本発明は、画像形成装置に関する。
【背景技術】
【０００２】
一般に、画像形成装置は、画像形成用の機器を収容する筐体を備えている。この筐体の一例として、上面に開口部を有する筐体本体部と、軸部を支点に回動することで該開口部を開閉するトップカバーとを備えたものが知られている（例えば、特許文献１参照）。この画像形成装置では、トップカバーを開くことで筐体本体部内にアクセスしてトナーコンテナの交換作業等を行えるようになっている。
【０００３】
この種の画像形成装置において、セキュリティ性を強化するためにトップカバーにＩＤ認証用の電子基板を内蔵する場合がある。この認証用電子基板は、本体筐体部内に設けられたコントロール基板に電線を介して接続される。電線の両端部には接続用のコネクター部が設けられている。各コネクター部はそれぞれ、認証用電子基板に設けられたコネクター部とコントロール基板に設けられたコネクター部とに抜差し可能に接続される。
【先行技術文献】
【特許文献】
【０００４】
【特許文献１】特開２０１６−２９４０５号公報
【発明の概要】
【発明が解決しようとする課題】
【０００５】
しかしながら、特許文献１に示す画像形成装置では、例えばトップカバー（可動カバー）を開閉する際に、電線の両端部の認証用基板（第一電子基板）及びコントロール基板（第二電子基板）に引張り力が作用して各基板が破損する虞がある。この問題を回避するべく電線を長めにとって弛ませることが考えられる。しかしこの場合、トップカバーの開閉時に電線の弛んだ部分が可動部と本体筐体部との間に噛込んで電線が破損する虞がある。
【０００６】
本発明は、かかる点に鑑みてなされたものであり、その目的とするところは 、電線に対して第一電子基板及び第二電子基板を引っ張る向きの張力が作用した場合でも各電子基板が破損しないようにすることにある。
【課題を解決するための手段】
【０００７】
本発明に係る画像形成装置は、開口部を有する本体筐体部と、軸部を支点に回動することで該本体筐体部の開口部を開閉する可動カバーと、該可動カバーに設けられた第一電子基板と、上記本体筐体部内に設けられた第二電子基板と、上記第一電子基板と上記第二電子基板とを接続する電線とを備えている。
【０００８】
そして、上記可動カバーにおける電線配索経路に設けられた可動側当接部と、上記本体筐体部における電線配索経路に設けられた本体側当接部とを備え、上記電線は、上記可動カバーの上記電線配索経路における上記可動側当接部よりも上記第一電子基板側に位置する可動側ストッパー部材と、上記本体筐体部の電線配索経路における上記本体側当接部よりも上記第二電子基板側に位置する本体側ストッパー部材と、を備え、上記可動側ストッパー部材は、上記電線に対して第一電子基板を引張る向きの張力が作用したときに上記可動側当接部に当接して該張力を受止めるように構成され、上記本体側ストッパー部材は、上記電線に対して第二電子基板を引張る向きの張力が作用したときに上記本体側ストッパー部に当接して該張力を受止めるように構成されている。
【発明の効果】
【０００９】
本発明によれば、電線に対して第一電子基板及び第二電子基板を引っ張る向きの張力が作用した場合でも各電子基板に張力が直接作用することはない。よって、この張力に起因する第一電子基板及び第二電子基板の破損を防止することができる。
【図面の簡単な説明】
【００１０】
【図１】図１は、実施形態における画像形成装置を示す外観斜視図である。
【図２】図２は、実施形態における画像形成装置の内部構造を示す概略図である。
【図３】図３は、画像形成装置の外装カバーを取外した状態を示す図１相当図である。
【図４】図４は、トップカバーを示す外観斜視図である。
【図５】図５は、トップカバーを示す平面図である。
【図６Ａ】図６Ａは、トップカバーを閉じた状態における図５のVI-VI線断面図である。
【図６Ｂ】図６Ｂは、トップカバーの全開状態における図６Ａ相当図である。
【図６Ｃ】図６Ｃは電線の構成を示す概略図である。
【図７】図７は、図４における基板収容部の拡大斜視図である。
【図８】図８は、第一ガイド突部、第二ガイド突部及び第三ガイド突部の概略構成を示す図である。
【図９】図９は、図３におけるIX部の拡大図である。
【図１０】図１０は、電線挿通筒を開口端側から見た概略図である。
【図１１】図１１は、本実施形態における第一及び第二ストッパー部材の構成例を示す軸方向から見た概略図である。
【図１２】図１２、結束バンドを第一ストッパー部材として適用する際の適用例を示す図である。
【図１３】図１３、結束バンドを第二ストッパー部材として適用する際の適用例を示す図である 。
【図１４】図１４は、本実施形態の作用効果を説明するための説明図である。
【図１５】図１５は、変形例における第一及び第二ストッパー部材を示す軸方向から見た概略図である。
【図１６】図１６は、変形例における第一及び第二ストッパー部材を示す径方向から見た概略図である。
【発明を実施するための形態】
【００１１】
以下、本発明の実施形態を図面に基づいて詳細に説明する。尚、本発明は、以下の実施形態に限定されるものではない。
【００１２】
《実施形態》
図１は、実施形態における画像形成装置１の一例を示す外観斜視図である。この画像形成装置１は、レーザープリンターにより構成されている。以下の説明において、「前側」、「後側」、「左側」及び「右側」は、それぞれ画像形成装置１を基準とする方向である。
【００１３】
画像形成装置１は、全体視が略直方体状をなす筐体１００を有している。筐体１００の前側面の上端部には操作パネル２００が設けられている。操作パネル２００は、ユーザーが画像形成装置１に対して各種設定及び印刷指示を行うためのものである。筐体１００の上面の前側且つ右側の隅部には、ＮＦＣ認証領域Ｒが設けられている。ＮＦＣ認証領域Ｒは、ＮＦＣ(Near Field Communication)通信の対象である非接触型のＩＣカードがかざされる部分である。画像形成装置１は、ＮＦＣ通信により読取ったＩＣカードの情報を基にユーザー認証を行う。そして、画像形成装置１はユーザー認証に成功した場合にのみ操作パネル２００を通じてユーザーのログインを許可する。
【００１４】
図２に示すように、筐体１００の内部には、給紙部１０、画像形成部２０、及び定着部３０が収容されている。筐体１００の上面部には排紙トレイ部４０が設けられている。給紙部１０から排紙トレイ部４０に至る用紙搬送路Ｌには、シートＳを挟持搬送する複数の搬送ローラー対１１〜１３が配置されている。筐体１００内の後側端部には、用紙搬送路Ｌとの間でループを形成する反転搬送路Ｌ´が設けられている。反転搬送路Ｌ´には複数の搬送ローラー対１４〜１６が配置されている。
【００１５】
上記給紙部１０は、筐体１００内の下端部に配置されている。給紙部１０は、シートＳが収容される給紙カセット１０ａと、該給紙カセット１０ａ内のシートＳを取出して該カセット外に送り出すためのピックアップローラー１０ｂとを有している。給紙カセット１０ａよりカセット外に送り出されたシートＳは、搬送ローラー対１１によって画像形成部２０に供給される。
【００１６】
画像形成部２０では、ブラック、マゼンタ、シアン及びイエローの各色にそれぞれ対応するトナー画像を形成する作像ユニット２０Ｂｋ、２０Ｍ、２０Ｃ及び２０Ｙが一列に配置されている。各作像ユニット２０Ｂｋ、２０Ｍ、２０Ｃ、２０Ｙは、感光体ドラム２１、帯電装置２２、現像装置２３及びクリーニング装置２４を備えている。尚、符号２１〜２４は、見易さを考慮して作像ユニット２０Ｙについてのみ図示している。
【００１７】
作像ユニット２０Ｂｋ、２０Ｍ、２０Ｃ及び２０Ｙの下方には、各感光体ドラム２１の表面にレーザー光を照射する露光装置２５が配置されている。また、作像ユニット２０Ｂｋ、２０Ｍ、２０Ｃ及び２０Ｙの上方には、中間転写ユニット２６が配置されている。中間転写ユニット２６には、各感光体ドラム２１に接して走行する中間転写ベルト２７が設けられている。中間転写ベルト２７の内側には、各感光体ドラム２１との間で中間転写ベルト２７を挟み込むように一次転写ローラー２８が設けられている。また、作像ユニット２０Ｂｋの下流側には、中間転写ベルト２７の表面に接触する二次転写ローラー２９が設けられている。中間転写ユニット２６の上方には、作像ユニット２０Ｂｋ、２０Ｍ、２０Ｃ、２０Ｙの各現像装置２３に補給する各色のトナーを貯留するトナーコンテナ５０Ｂｋ、５０Ｍ、５０Ｃ、５０Ｙが配置されている。
【００１８】
画像形成部２０では、露光装置２５によって各感光体ドラム２１の表面に所定の画像データ（例えば、外部端末より受信した原稿画像データ）に基づくレーザー光を照射することで静電潜像を形成し、形成した静電潜像を現像装置２３によって現像することで各色のトナー像を形成する。各感光体ドラム２１の表面に形成された各色のトナー像は、一次転写ローラー２８によって中間転写ベルト２７の表面に転写されて重ね合わせられる。
そして、中間転写ベルト２７上に転写されたトナー像は、シートＳが二次転写ローラー２９と中間転写ベルト２７との間を通過する際に転写バイアスを受けてシートＳ側に移動し転写される。該転写後のシートＳは定着部３０に供給される。定着部３０では、画像形成部２０より供給されるシートＳを定着ローラー３０ａ及び加圧ローラー３０ｂ間で加圧することにより、当該シートＳにトナー像を定着させる。そして、定着部３０にてトナー像が定着されたシートＳは、両ローラー３０ａ，３０ｂにより下流側へと送り出される。定着部３０より送り出されたシートＳは、搬送ローラー対１３によって排紙トレイ部４０に排出される。また、シートＳの両面にトナー像を形成する場合には、搬送ローラー対１３によりシートＳはスイッチバックされて、反転搬送路Ｌ´に搬送される。  
【００１９】
［筐体１００の概略構成］
図１及び図３に示すように、筐体１００は、本体筐体部１０１と、トップカバー１０２（可動カバーの一例）と、電装ボックス１０４とを有している。
【００２０】
本体筐体部１０１は、前後方向に長い略直方体状に形成されている。本体筐体部１０１の上面における後端部を除く全域には矩形状の開口部Ｋが形成されている。トップカバー１０２はこの開口部Ｋを開閉可能に閉塞している。トップカバー１０２は、開口部Ｋを閉塞した状態（図１及び図３の状態）からその後端部を支点に上側に回動させることで開放可能になっている。ユーザーは、トップカバー１０２を開放することで、本体筐体部１０１内にアクセスしてトナーコンテナ５０Ｂｋ、５０Ｍ、５０Ｃ、５０Ｙの交換作業等を行えるようになっている。  
【００２１】
電装ボックス１０４は、本体筐体部１０１の右側面を覆う外装カバー１０３に取付けられている。電装ボックス１０４内には各種の電装機器や増設用のハードディスク等が収容されている。
【００２２】
本体筐体部１０１の上面におけるトップカバー１０２の後端縁に隣接する部分には、上側に突出する矩形ケース状の排出機構収容部１０１ａが形成されている。排出機構収容部１０１ａ内には搬送ローラー対１３を含むシート排出機構が収容されている。排出機構収容部１０１ａの前側壁１０１ｂにはシート排出口１０１ｃが形成されている。シート排出口１０１ｃから排出されたシートＳは、トップカバー１０２の上面に排出される。
【００２３】
［トップカバー１０２の概略構成］
図４及び図５に示すように、トップカバー１０２は、カバー本体１０２ａと一対の係合軸部１０２ｂと基板収容部１０２ｃとを有している。
【００２４】
カバー本体１０２ａは、後側から前側に向かって上側に傾斜した後、後側に向かって水平に延びる薄板状に形成されている。カバー本体１０２ａの上面は上述の排紙トレイ部４０として機能する。カバー本体１０２ａの下面における左右両端部には板状リブ１０２ｒ（図６Ａ及び図６Ｂにのみ示す）が突設されている。
【００２５】
一対の係合軸部１０２ｂは、カバー本体１０２ａの後端縁における左右方向の両端部に一体成形されている。各係合軸部１０２ｂは、左右方向に延びていて互いに同軸に配置されている。各係合軸部１０２ｂは、カバー本体１０２ａの後端縁から突出するリブに固定されている。トップカバー１０２は、一対の係合軸部１０２ｂを本体筐体部１０１の支持孔（図示省略）に係合させた状態で本体筐体部１０１に組付けられている。トップカバー１０２は、一対の係合軸部１０２ｂを支点に上下方向に回動可能に構成されている。
【００２６】
基板収容部１０２ｃは、上記ＮＦＣ認証領域Ｒ（図１参照）にかざされたＩＣカードとの間でＮＦＣ通信を行うＮＦＣ基板３００（第一電子基板の一例）を収容する。基板収容部１０２ｃは、上側に開放する底浅の矩形箱状に形成されている。基板収容部１０２ｃは、カバー本体１０２ａの隅部に形成されたＬ字状の切欠部１０２ｅの端縁に沿って配置されている。基板収容部１０２ｃの上側の開放部は蓋部材１０２ｄ（図１及び図３参照）によって閉塞される。そして、この蓋部材１０２ｄの上面が上記ＮＦＣ認証領域Ｒとして機能する。基板収容部１０２ｃの内部構成については後述する。
【００２７】
ＮＦＣ基板３００は、ＮＦＣ用のＩＣチップと基板本体と通信用のアンテナ部等を有している。また、ＮＦＣ基板３００には、電線５００を接続するためのコネクター部３０１が取付けられている。そして、ＮＦＣ基板３００は、本体筐体部１０１内に設けられたコントロール基板４００（第二電子基板の一例）に電線５００を介して接続されている。
【００２８】
［コントロール基板４００の配置構成］
図３に示すように、コントロール基板４００は、本体筐体部１０１の右側面を覆う外装カバー１０３を取外すことで外部に露出する。本体筐体部１０１内の右側端部には板金フレーム１０５が設けられており、コントロール基板４００は板金フレーム１０５の上側且つ後側の隅部に取付けられている。
【００２９】
コントロール基板４００は、画像形成装置１の各部の動作を制御する駆動ＩＣと、駆動ＩＣが実装された基板本体とを有している。コントロール基板４００の基板本体には、電線５００を接続するためのコネクター部４０１が取付けられている。コネクター部４０１に接続された電線５００は、板金フレーム１０５に突設された電線挿通筒１０６内を通って上記ＮＦＣ基板３００まで配索されている。
【００３０】
［電線５００の配索経路の概略説明］
次に、図６Ａ及び図６Ｂを参照して電線５００の配索経路について説明する。図６Ａは、図５のVI−VI線断面であってトップカバー１０２を閉じた状態を示している。図６Ｂは、トップカバー１０２を図６Ａの状態から上側に開放した状態を示している。図中の太二点鎖線は電線５００の配索経路を示し、細二点鎖線は板金フレーム１０５に取付けられた上記電線挿通筒１０６を示している。
【００３１】
コントロール基板４００に接続された電線５００は、先ず、電線挿通筒１０６を通って右側から左側（図６Ａの紙面垂直方向の手前側から奥側）に向かって延びる。ここで、板金フレーム１０５の電線挿通筒１０６に対応する箇所には貫通孔（図示省略）が形成されている。電線５００はこの貫通孔を貫通した後、上側に屈曲して排出機構収容部１０１ａ（図１参照）の上端部付近まで延び、その後、Ｕ字状に湾曲して係合軸部１０２ｂの下側付近まで延びる。そして、電線５００は、係合軸部１０２ｂの下側を囲むようＵ字状に湾曲した後、カバー本体１０２ａの下面に沿って前側に向かって上側に傾斜し、その後、基板収容部１０２ｃの貫通孔１０２ｑを貫通してＮＦＣ基板３００に接続される。尚、図示しないが、トップカバー１０２の下面には電線５００を下方から覆う断面コ字状の保護部材が取付けられている。
【００３２】
［電線５００の構成］
電線５００は例えば断面円形状をなしており、電線５００の両端部には、図６Ｃに示すようにコネクター部５０１，５０２が取付けられている。一方のコネクター部５０１は、ＮＦＣ基板３００のコネクター部３０１に抜差し可能に接続され、他方のコネクター部５０２は、コントロール基板４００のコネクター部４０１に抜差し可能に接続される。
【００３３】
ここで、電線５００には、例えばトップカバー１０２を開放状態から閉状態にする際に作用する張力を受止める第一ストッパー部材６０１及び第二ストッパー部材６０２が取付けられている。第一ストッパー部材６０１（可動側ストッパー部材の一例）は、電線５００に張力が作用した際に後述する基板収容部１０２ｃ内のガイド突部１０２ｎ（可動側当接部の一例）に当接し、第二ストッパー部材６０２（本体側ストッパー部材の一例）は電線挿通筒１０６(本体側当接部)の端面に当接することで、電線５００と各基板３００，４００との接続部に大きな負荷がかかるのを防止する。第一ストッパー部材６０１及び第二ストッパー部材６０２は、例えば結束バンド７００（図１２参照）により構成されている。尚、図６Ｃ及び後で参照する図７、図９及び図１０においては、第一ストッパー部材６０１及び第二ストッパー部材６０２を簡略化してブロック状に表示している。
【００３４】
［基板収容部１０２ｃの内部構造］  
図４、図５及び図７に示すように、基板収容部１０２ｃは、底壁１０２ｆ、前側壁１０２ｇ、後側壁１０２ｈ、左側壁１０２ｉ及び右側壁１０２ｊを有している。
【００３５】
底壁１０２ｆは、前後方向に長い矩形板状に形成されている。底壁１０２ｆにおける左右方向の中央部の前側端部には、矩形台状の基板載置部１０２ｋが突設されている。底壁１０２ｆにおける左右方向の中央部の後側端部には、台座部１０２ｌが突設されている。
【００３６】
底壁１０２ｆの前後方向の中間部における電線配索経路の左右両側には、枠状のケース部１０２ｍが突設されている。ケース部１０２ｍは、メモリ等のストック部品を収容するために利用される。
【００３７】
台座部１０２ｌは、左右方向に長い直方体状をなしている。台座部１０２ｌは、電線５００を下方から支持することで電線５００に弛みが生じるのを防止している。
【００３８】
台座部１０２ｌの上面には、左右方向に間隔を空けて並ぶ第一ガイド突部１０２ｎ及び第二ガイド突部１０２ｏが形成されている。
【００３９】
底壁１０２ｆの左右方向の中央部における台座部１０２ｌと基板載置部１０２ｋとの間には第三ガイド突部１０２ｐが形成されている。
【００４０】
第一ガイド突部１０２ｎ、第二ガイド突部１０２ｏ及び第三ガイド突部１０２ｐは、それぞれの中心を結ぶ直線が略正三角形状をなすように配置されている。
【００４１】
図８に示すように、各ガイド突部１０２ｎ，１０２ｏ，１０２ｐは、鉛直板部１１０と水平板部１１１とからなる断面Ｌ字状に形成されている。平面視における電線５００の配索経路（電線配索経路）は、主に各ガイド突部１０２ｎ，１０２ｏ，１０２ｐの鉛直板部１１０によって規定され、水平板部１１１は電線５００の上方への抜けを防止している。
【００４２】
ここで、第一ガイド突部１０２ｎの鉛直板部１１０は左右方向に平行に延び、第二ガイド突部１０２ｏ及び第三ガイド突部１０２ｐは前後方向に平行に延びている。
【００４３】
図７に示すように、電線５００は、第一ガイド突部１０２ｎにて鋭角に折れ曲がって右側に延び、その後、第二ガイド突部１０２ｏにて鋭角に折れ曲がって左斜め前側に延び、その後、第三ガイド突部１０２ｐにて鈍角に折れ曲がって前側に延び、最終的にコネクター部５０１がＮＦＣ基板３００のコネクター部３０１に接続される。そうして、電線５００は基板収容部１０２ｃ内において略Ｚ字状に屈曲して配索されている。
【００４４】
［第一ストッパー部材６０１の配置構成］
上記第一ストッパー部材６０１は、電線５００における第一ガイド突部１０２ｎよりもＮＦＣ基板３００側に設けられている。より詳しくは、ストッパー部材６０１は、電線５００における第一ガイド突部１０２ｎと第二ガイド突部１０２ｏとの間に取付けられている。ストッパー部材６０１は、第一ガイド突部１０２ｎに隣接する位置に配置されている。第一ストッパー部材６０１は、コネクター部５０１がＮＦＣ基板３００のコネクター部３０１に接続された状態において第一ガイド突部１０２ｎに当接するか又は僅かな隙間を持って配置されている。ストッパー部材６０１は、電線５００に対してＮＦＣ基板３００を引っ張る向きの張力Ｆ１が作用した場合に第一ガイド突部１０２ｎに当接してこの荷重（＝張力Ｆ１）を受け止めるように構成されている。ストッパー部材６０１はこの荷重を受けても電線５００の表面から剥がれないよう該電線５００に対して強固に固定されている。  
【００４５】
［電線挿通筒１０６の詳細説明］
次に、図９及び図１０を参照して電線挿通筒１０６の構成を説明する。図９は、図３のIX部の拡大図であり、電線挿通筒１０６を開口端側（右側）から見た側面図である。  
【００４６】
電線挿通筒１０６は、第一分割部材１０６Ａと第二分割部材１０６Ｂとを組合わせて構成されている。
【００４７】
図１０に示すように、第一分割部材１０６Ａは、鉛直板部１０６ａと、鉛直板部１０６ａから水平に突出する上側水平板部１０６ｂ及び下側水平板部１０６ｃと、下側水平板部１０６ｃの先端部から上側に突出する突出板部１０６ｄとを有している。鉛直板部１０６ａと突出板部１０６ｄとの間には、上側に開放して電線５００を収容する収容空間Ｔが形成されている。
【００４８】
第二分割部材１０６Ｂは、鉛直板部１０６ｅと水平板部１０６ｆとを有する断面Ｌ字状部材である。第二分割部材１０６Ｂの水平板部１０６ｆは、第一分割部材１０６Ａの上側水平板部１０６ｂの上面に重なるように配置されている。  
【００４９】
第一分割部材１０６Ａの突出板部１０６ｄと、第二分割部材１０６Ｂの鉛直板部１０６ｅとの間には、電線５００を下方から挿通可能な挿通部１０６ｇが確保されている。電線５００は、図１０中の矢印で示すように、電線挿通筒１０６に対し挿通部１０ｇを介して下方から挿入された後、収容空間Ｔ内にセットされる。
【００５０】
［ストッパー部材６０２の配置構成］
第二ストッパー部材６０２（図１０では二点鎖線で示す）は、コネクター部５０２がコントロール基板４００のコネクター部４０１に接続された状態において、電線挿通筒１０６（第一分割部材１０６Ａ）の端面に当接するか又は僅かに隙間を持って配置されている。第二ストッパー部材６０２は、電線５００に対してコントロール基板４００を引っ張る向きの張力Ｆ２（図９参照）が作用した場合に電線挿通筒１０６の端面に当接してこの荷重（＝張力Ｆ２）を受け止めるように構成されている。ストッパー部材６０２はこの荷重を受けても電線５００の表面から剥がれないよう該電線５００に対して強固に固定されている。
【００５１】
［第一及び第二ストッパー部材６０１，６０２の構成例］
図１１は、本実施形態における第一ストッパー部材６０１及び第二ストッパー部材６０２の構成例を示す概略図である。第一ストッパー部材６０１及び第二ストッパー部材６０２は、樹脂製の結束バンド７００により構成されている。
【００５２】
結束バンド７００は、帯状部７０１と帯状部７０１の一端部の外周面に突設されるロック部７０２とを有している。ロック部７０２は、帯状部７０１の外周面の一端部から径方向外側突出する矩形状の突出柱である。ロック部７０２の内部には、帯状部７０１が挿通される挿通孔が形成され、挿通孔内には帯状部７０１をロックするロック爪が形成されている。以下の説明において、ロック部７０２の径方向外側端面と帯状部７０１の外周面の周方向の一点を結ぶ最大寸法をＷとし、最大寸法方向をＹと定義する。
【００５３】
図１２に示すように、結束バンド７００を第一ストッパー部材６０１として使用する場合には、最大寸法方向Ｙを上下方向に向けて、最大寸法Ｗを第一ガイド突部１０２ｎの高さｈ（図８参照）よりも十分に大きくとることが好ましい。具体的には、最大寸法Ｗは、電線５００が第一ガイド突部１０２ｎの最下端に位置する場合でもロック部７０２が水平板部１１１の下面よりも上側に突出するように設定することが好ましい。これによれば、第一ストッパー部材６０１が、電線５００の張力Ｆ１を受け止めた際に水平板部１１１の下側をすり抜けて機能しなくなるのを防止することができる。
【００５４】
図１３に示すよう、結束バンド７００を第二ストッパー部材６０２として使用する場合には、最大寸法方向Ｙを前後方向に向けて、最大寸法Ｗを収容空間Ｔの幅よりも十分に大きくとることが好ましい。具体的には、最大寸法Ｗは、電線５００が収容空間Ｔ内における図１３の左右方向のいずれの位置にあっても、結束バンド７００の最大寸法方向Ｙの両端部が第一分割部材１０６Ａ（鉛直板部１０６ａ及び突出板部１０６ｄ）の端面に当接するように設定することが好ましい。これによれば、ストッパー部材６０２が、電線５００の張力Ｆ２を受け止めた際に収容空間Ｔ内に引き込まれて機能しなくなるのを防止することができる。
【００５５】
［作用効果］
図１４は、本実施形態の作用効果を説明するための説明図である。この図では、分かり易いように、電線５００を介したＮＦＣ基板３００とコントロール基板４００との接続構造をブロック図として簡略化している。電線５００は、上述したようにトップカバー１０２の電線配索経路における第一ガイド突部１０２ｎよりもＮＦＣ基板３００に位置する第一ストッパー部材６０１と、本体筐体部１０１の電線配索経路における電線挿通筒１０６よりもコントロール基板４００側に位置するストッパー部材６０２とを備えている。
【００５６】
そして、第一ガイド突部１０２ｎは、電線５００に対してＮＦＣ基板３００を引張る向きの張力Ｆ１が作用したときに第一ガイド突部１０２ｎに当接して該張力Ｆ１を受止めるように構成されている。電線挿通筒１０６は、電線５００に対してコントロール基板４００を引張る向きの張力Ｆ２が作用したときにストッパー部材６０２に当接して該張力Ｆ２を受止めるように構成されている。
この構成によれば、例えば電線５００の配索作業に際してトップカバー１０２を開閉する際に（特にトップカバー１０２を開いた状態から閉じる際に）、電線５００に対して各ＮＦＣ基板３００及びコントロール基板４００を引っ張る向きの張力Ｆ１，Ｆ２が作用したとしても、該張力Ｆ１，Ｆ２はストッパー部材６０１，６０２を介して第一ガイド突部１０２ｎ及び電線挿通筒１０６に伝達される。よって、張力Ｆ１，Ｆ２がＮＦＣ基板３００のコネクター部３０１及びコントロール基板４００のコネクター部４０１に直接作用することもない。よって、各コネクター部３０１，４０１の破損は勿論のこと、各基板３００，４００の破損を防止することができる。
【００５７】
また、第一ストッパー部材６０１は、電線５００における第一ガイド突部１０２ｎからＮＦＣ基板３００（コネクター部３０１）までの長さを調整する調整部材としても兼用することができる。また、ストッパー部材６０２は、電線挿通筒１０６の端面からコントロール基板４００（コネクター部４０１）までの長さを調整する調整部材としても兼用することができる。
【００５８】
また、本実施形態では、トップカバー１０２には、ＮＦＣ基板３００を収容する基板収容部１０２ｃが設けられ、上記第一ガイド突部１０２ｎは、基板収容部１０２ｃ内において電線５００をガイドしている。
この構成によれば、電線５００の配索経路を規定するガイド部材をストッパー部材６０１との当接部材として兼用することで、部品点数を削減して製品コストを低減することができる。
【００５９】
また、本実施形態では、基板収容部１０２ｃ内の電線配索経路には、第一ガイド突部１０２ｎと第二ガイド突部１０２ｏと第三ガイド突部１０２ｐとの三つの突部が設けられている。
この構成によれば、電線５００が複数回屈曲した後にＮＦＣ基板３００に接続されることとなる。したがって、電線５００をＮＦＣ基板３００に対して直線的に接続する場合に比べて、張力Ｆ１がＮＦＣ基板３００に伝わり難くなる。よって、張力Ｆ１によるＮＦＣ基板３００の破損を確実に防止することができる。
【００６０】
また、三つガイド突部１０２ｎ，１０２ｏ，１０２ｐのうち、ＮＦＣ基板３００から最も離れた位置にあるガイド突部１０２ｎに第一ストッパー部材６０１が当接するようになっている。
この構成によれば、ストッパー部材６０１によって、ＮＦＣ基板３００から極力離れた位置で張力Ｆ１を受け止めることとなる。よって、張力Ｆ１がＮＦＣ基板３００に伝わるのを確実に防止することができる。
【００６１】
また、本実施形態では、第一ガイド突部１０２ｎは、鉛直板部１１０と水平板部１１１とからなる断面L字状に形成されている。
この構成によれば、水平板部１１１によって電線５００の上方への抜けを規制しつつ鉛直板部１１０によって電線５００を所定の配索経路に沿うようにガイドすることができる。また、第一ストッパー部材６０１を水平板部１１１に当接させることで、第一ストッパー部材６０１が第一ガイド突部１０２ｎをすり抜けて機能しなくなるのを防止することができる。
【００６２】
また、本実施形態では、第二ストッパー部材６０２は、電線挿通筒１０６の端面に当接することで電線５００に作用する張力Ｆ２を受止めるように構成されている。
この構成によれば、既存の電線挿通筒１０６を利用して、コントロール基板４００への張力Ｆ２の伝達を防止することができる。よって部品点数を削減して製品コストを低減することができる。
【００６３】
［変形例］
図１５及び図１６は、上記実施形態の変形例における第一及び第二ストッパー部材６０１，６０２を示している。
【００６４】
この変形例において、ストッパー部材６０１，６０２は樹脂製の円板状部材７１０により構成されている。円板状部材７１０の中心部には、電線５００の外周面に嵌合する嵌合孔７１０ａが形成されている。電線５００における円板状部材７１０の軸方向の両側には結束バンド７１１が固定されている。結束バンド７１１の構成は実施形態１で説明した結束バンド７００と同様である。円板状部材７１０は、この両側の結束バンド７１１によって電線５００に対して移動不能に固定される。この変形例において、円板状部材７１０の外径寸法Ｄが、上記実施形態における結束バンド７００の最大寸法Ｗに相当する。
【００６５】
本変形例によれば、電線５００に作用する張力Ｆ１，Ｆ２を円板状部材７１０によって受け止めることができるので実施形態１と同様の作用効果を得ることができる。
【００６６】
《他の実施形態》
上記実施形態では、断面円形状の電線５００を採用しているが、これに限ったものではなく、電線５００は例えばフラットケーブル等であってもよい。すなわち、電線５００は、トップカバー１０２に設けられた電子基板と本体筐体部１０１内に設けられた電子基板とを電気的に接続するものあれば如何なる構成であってもよい。
【００６７】
また、上記実施形態及び変形例において、第一ストッパー部材６０１及び第二ストッパー部材６０２が断面円形状である例を説明したが、これに限ったものではない。各ストッパー部材６０１，６０２は例えば断面四角形状又は菱形状等であってもよい。また、上記実施形態では、第一ストッパー部材６０１が当接する可動側当接部の一例として第一ガイド突部１０２ｎを挙げて説明したが、可動側当接部は第二ガイド突部１０２ｏ又は第三ガイド突部１０２ｐであってもよい。
【００６８】
また、上記実施形態では、画像形成装置１はレーザープリンターにより構成されているが、これに限ったものではない。画像形成装置１は、複写機、ファクシミリー、又は複合機（ＭＦＰ）等であってもよい。
【００６９】
また、上記実施形態では、電線５００は、ＮＦＣ基板３００及びコントロール基板４００に対してコネクター部同士の嵌合により接続されるよう構成されているが、これに限ったものではなく、電線５００と各基板３００，４００とが予め一体固定されていてもよい。
【００７０】
上記実施形態では、第一電子基板の一例としてＮＦＣ基板３００を挙げて説明したが、これに限ったものではない。例えば、上記実施形態とは異なる構成として、操作パネル２をトップカバー１０２に設けられるようにした場合、操作パネル用の電子基板を第一電子基板として上記実施形態の構成を適用することもできる。また、第二電子基板は、コントロール基板に限定されるものではなく他の電子基板であってもよい。
【産業上の利用可能性】
【００７１】
以上説明したように、本発明は、本体筐体部と開閉式のトップカバーとを有する画像形成装置に有用であり、特に、プリンター、ファクシミリー、又は複合機（ＭＦＰ）に適用する場合について有用である。
【符号の説明】
【００７２】
Ｆ１      ：張力
Ｆ２      ：張力
Ｋ        ：開口部
１        ：画像形成装置
１００    ：筐体
１０１    ：本体筐体部
１０２ｃ  ：基板収容部
１０２ｎ  ：第一ガイド突部（可動側当接部）
１０６    ：電線挿通筒
１１０    ：鉛直板部
１１１    ：水平板部
３００    ：基板
４００    ：基板
５００    ：電線
６０１    ：ストッパー部材
６０２    ：ストッパー部材
【図１】
2020197589.tif 000003
【図２】
2020197589.tif 000004
【図３】
2020197589.tif 000005
【図４】
2020197589.tif 000006
【図５】
2020197589.tif 000007
【図６Ａ】
2020197589.tif 000008
【図６Ｂ】
2020197589.tif 000009
【図６Ｃ】
2020197589.tif 000010
【図７】
2020197589.tif 000011
【図８】
2020197589.tif 000012
【図９】
2020197589.tif 000013
【図１０】
2020197589.tif 000014
【図１１】
2020197589.tif 000015
【図１２】
2020197589.tif 000016
【図１３】
2020197589.tif 000017
【図１４】
2020197589.tif 000018
【図１５】
2020197589.tif 000019
【図１６】
2020197589.tif 000020